(57)【要約】【課題】顧客等への訴求力を確認しながら効果的な宣伝用画像を生成することができる画像情報管理装置等を提供すること。【解決手段】特定の商品及び／又は役務の提供を行う提供場所Ｐの顧客の端末５０に送信される前記提供場所の宣伝用の画像情報の募集情報を管理し、前記顧客が応募した前記画像情報である応募画像情報を記憶し、前記応募画像情報を評価するための参考情報を記憶し、前記参考情報は、前記応募画像情報についての第３者の評価情報を含む画像情報管理装置１００。【選択図】図１
2019121131.tif 000002
【特許請求の範囲】
【請求項１】
特定の商品及び／又は役務の提供を行う提供場所の顧客の端末に送信される前記提供場所の宣伝用の画像情報の募集情報を管理し、
前記顧客が応募した前記画像情報である応募画像情報を記憶し、
前記応募画像情報を評価するための参考情報を記憶し、
前記参考情報は、前記応募画像情報についての第３者の評価情報を含むことを特徴とする画像情報管理装置。
【請求項２】
前記参考情報には、前記応募画像情報の応募者の過去における評価情報を含むことを特徴とする請求項１に記載の画像情報管理装置。
【請求項３】
前記募集情報は前記提供場所に配置される順番待ちのための順番待ち装置から前記端末に配信されることを特徴とする請求項１又は請求項２に記載の画像情報管理装置。
【請求項４】
画像情報の対象となる場所情報が、前記募集情報に含まれていることを特徴とする請求項１乃至請求項３のいずれか１項に記載の画像情報管理装置。
【請求項５】
特定の商品及び／又は役務の提供を行う提供場所に配置される順番待ちのための順番待ち装置と、
前記提供場所の顧客が所持する端末と、
前記順番待ち装置と前記端末と通信可能で、前記提供場所の画像情報を管理する画像情報管理装置と、を有し、
前記画像情報管理装置は、前記提供場所の顧客の前記端末に送信される前記提供場所の宣伝用の画像情報の募集情報を管理し、
前記顧客が応募した前記画像情報である応募画像情報を記憶し、
前記応募画像情報を評価するための参考情報を記憶し、
前記参考情報は、前記応募画像情報についての第３者の評価情報を含むことを特徴とする画像情報管理システム。
【請求項６】
特定の商品及び／又は役務の提供を行う提供場所の顧客の端末に送信される前記提供場所の宣伝用の画像情報の募集情報を管理し、
前記顧客が応募した前記画像情報である応募画像情報を記憶し、
前記応募画像情報を評価するための参考情報を記憶し、
前記参考情報は、前記応募画像情報についての第３者の評価情報を含むことを特徴とする画像情報管理装置の制御方法。
【請求項７】
画像情報管理装置に、特定の商品及び／又は役務の提供を行う提供場所の顧客の端末に送信される前記提供場所の宣伝用の画像情報の募集情報を管理する機能、
前記顧客が応募した前記画像情報である応募画像情報を記憶する機能、
前記応募画像情報についての第３者の評価情報を含む前記応募画像情報を評価するための参考情報を記憶させる機能を、を実行させる画像情報管理プログラム。
【発明の詳細な説明】
【技術分野】
【０００１】
本発明は、例えば、店舗等に関する画像情報を管理する画像情報管理装置、画像情報管理システム、画像情報管理装置の制御方法及び画像情報管理プログラムに関するものである。
【背景技術】
【０００２】
従来、店舗等の宣伝等のため、その店舗等の画像を利用することが提案されている（例えば、特許文献１）。
【先行技術文献】
【特許文献】
【０００３】
【特許文献１】特開２０１０−２３８０６６
【発明の概要】
【発明が解決しようとする課題】
【０００４】
しかし、このような特定の商品及び／又は役務の提供を行う提供場所である店舗等の経営者等は、その店舗等の宣伝等のために必要な画像情報を作成するとき、必要なコストを負担する必要があった。
一方、かかる宣伝用等の画像は、顧客等に訴求することが必要であるが、顧客等の反応等を確認しながら宣伝用の画像を作成することは困難であり、実施するためには、更なるコストが必要となるという問題もあった。
【０００５】
そこで、本発明は、顧客等への訴求力を確認しながら効果的な宣伝用画像を生成することができる画像情報管理装置、画像情報管理システム、画像情報管理装置の制御方法及び画像情報管理プログラムを提供することを目的とする。
【課題を解決するための手段】
【０００６】
前記目的は、本発明によれば、特定の商品及び／又は役務の提供を行う提供場所の顧客の端末に送信される前記提供場所の宣伝用の画像情報の募集情報を管理し、前記顧客が応募した前記画像情報である応募画像情報を記憶し、前記応募画像情報を評価するための参考情報を記憶し、前記参考情報は、前記応募画像情報についての第３者の評価情報を含むことを特徴とする画像情報管理装置により達成される。
【０００７】
前記構成によれば、提供場所の宣伝用の画像情報は、その顧客が応募した応募画像情報から選択されるので、顧客等への訴求力を確認しながら効果的な宣伝用画像を生成することができる。
また、この応募画像情報から選択するときに、応募画像情報についての第３者の評価情報（例えば、いいねマークの選択等）を含む参考情報が提供されるので、より顧客ニーズに合致した画像情報を選択することができる。
【０００８】
好ましくは、前記参考情報には、前記応募画像情報の応募者の過去における評価情報を含むことを特徴とする。
【０００９】
前記構成によれば、参考情報には、応募画像情報の応募者の過去における評価情報も含むので、より精度の高い画像情報の選択を行うことができる。
【００１０】
好ましくは、前記募集情報は前記提供場所に配置される順番待ちのための順番待ち装置から前記端末に配信されることを特徴とする。
【００１１】
前記構成によれば、募集情報は提供場所に配置される順番待ち装置から端末に配信されるので、顧客は募集情報を取得するための別途の動作等は必要なく、順番待ちの動作と共に募集情報を取得することができる。
したがって、募集情報を広く提供場所を利用する顧客に配信することができる。
【００１２】
好ましくは、画像情報の対象となる場所情報が、前記募集情報に含まれていることを特徴とする。
【００１３】
前記目的は、本発明によれば、特定の商品及び／又は役務の提供を行う提供場所に配置される順番待ちのための順番待ち装置と、前記提供場所の顧客が所持する端末と、前記順番待ち装置と前記端末と通信可能で、前記提供場所の画像情報を管理する画像情報管理装置と、を有し、前記画像情報管理装置は、前記提供場所の顧客の前記端末に送信される前記提供場所の宣伝用の画像情報の募集情報を管理し、前記顧客が応募した前記画像情報である応募画像情報を記憶し、前記応募画像情報を評価するための参考情報を記憶し、前記参考情報は、前記応募画像情報についての第３者の評価情報を含むことを特徴とする画像情報管理システムにより達成される。
【００１４】
前記目的は、本発明によれば、特定の商品及び／又は役務の提供を行う提供場所の顧客の端末に送信される前記提供場所の宣伝用の画像情報の募集情報を管理し、前記顧客が応募した前記画像情報である応募画像情報を記憶し、前記応募画像情報を評価するための参考情報を記憶し、前記参考情報は、前記応募画像情報についての第３者の評価情報を含むことを特徴とする画像情報管理装置の制御方法により達成される。
【００１５】
前記目的は、本発明によれば、画像情報管理装置に、特定の商品及び／又は役務の提供を行う提供場所の顧客の端末に送信される前記提供場所の宣伝用の画像情報の募集情報を管理する機能、前記顧客が応募した前記画像情報である応募画像情報を記憶する機能、前記応募画像情報についての第３者の評価情報を含む前記応募画像情報を評価するための参考情報を記憶させる機能を、を実行させる画像情報管理プログラムにより達成される。
【発明の効果】
【００１６】
そこで、本発明は、顧客等への訴求力を確認しながら効果的な宣伝用画像を生成することができる画像情報管理装置、画像情報管理システム、画像情報管理装置の制御方法及び画像情報管理プログラムを提供できるという利点がある。
【図面の簡単な説明】
【００１７】
【図１】本発明の画像情報管理システムを示す概略図である。
【図２】図１の画像及び順番待ち情報管理装置の主な構成を示す概略ブロック図である。
【図３】管理サーバ用第１の各種情報管理部の構成を示す概略ブロック図である。
【図４】管理サーバ用第２の各種情報管理部の構成を示す概略ブロック図である。
【図５】本システムの主な動作例を示す概略フローチャートである。
【図６】本システムの主な動作例を示す他の概略フローチャートである。
【図７】本システムの主な動作例を示す他の概略フローチャートである。
【発明を実施するための形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
（図１の画像情報管理システム１の主な構成について）
図１は、本発明の「画像情報管理システム１」を示す概略図である。
図１に示すように、画像情報管理システム１は、「Ｘ画像及び順番待ち情報管理会社」が有する画像情報管理装置である例えば、「画像及び順番待ち情報管理装置１００」、提供場所である例えば、「Ｐ寿司店」が有する「順番待ち装置１０」及び顧客の端末である例えば、携帯端末５０を有し、これらは、インターネット網２や基地局３等を介して通信可能に接続されている。
【００２０】
本システム１では、後述するように、例えば、Ｐ寿司店を利用する顧客に、Ｐ寿司店の宣伝用の店舗の画像を募集し、その中から宣伝用に使用する画像を選択し、選択された画像を提供した顧客にＰ寿司店の利用時の特典であるポイント等を提供する構成となっている。
【００２１】
以下、本システム１の各構成について説明する。
（順番待ち装置１０）
図１の「順番待ち装置１０」は、Ｐ寿司店舗を利用する顧客が、座る席がなく、席が空いたときに席までの案内を希望するときに、案内の順番を管理する装置である。
この順番待ち装置１０は、例えば、携帯端末５０が近接したときに、近距離無線通信（非接触通信）で携帯端末５０と通信する構成となっている。
例えば、順番待ち装置１０は、携帯端末５０から会員番号等の情報を取得し、携帯端末５０の「受付番号」等の情報を携帯端末５０に送信等する構成となっている。
また、この「順番待ち装置１０」では、後述するように、順番待ちのための「受付番号」を受信した携帯端末５０に、当該Ｐ寿司店の宣伝用の画像（写真等）を募集している旨の情報が送信させる構成ともなっている。
【００２２】
（携帯端末５０）
携帯端末５０は、表示部である例えば、タッチパネル５１や入力ボタン５２を有している。タッチパネル５１は、各種情報を表示する「ディスプレイ」と、位置入力装置を組み合わせた電子部品であり、ディスプレイ上の表示に利用者が触れることで各種情報の入力ができる入力装置ともなっている。
入力ボタン５２は、操作者が同ボタン５２を押下することで、各種情報が入力可能な構成となっている。
【００２３】
図１の順番待ち装置１０、携帯端末５０及び顧客情報管理装置１００は、コンピュータを有し、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２４】
（「画像及び順番待ち情報管理装置１００」の主な構成について）
図２は、図１の「画像及び順番待ち情報管理装置１００」の主な構成を示す概略ブロック図である。
図２に示すように、「画像及び順番待ち情報管理装置１００」は、「管理装置側制御部１０１」を有すると共に、この「管理装置側制御部１０１」で制御される「管理装置側通信装置１０２」、「管理装置側ディスプレイ１０３」、「管理装置側入力装置１０４」、「管理装置側第１の各種情報管理部１１０」及び「管理装置側第２の各種情報管理部１１０」を有している。以下、各装置等について説明する。
【００２５】
図２の「管理装置側通信装置１０２」は、図１の「携帯端末５０」及び「順番待ち装置１０」と通信するための装置である。
また、「管理装置側ディスプレイ１０３」は、各種情報を表示するディスプレイであり、「管理装置側入力装置１０４」は、各種情報を入力するための装置である。
【００２６】
また、図２の「管理装置側第１の各種情報管理部１１０」及び「管理装置側第２の各種情報管理部１２０」は、各種データ等を記憶等する構成となっている。
【００２７】
図３及び図４は、それぞれ「管理サーバ用第１の各種情報管理部１１０」及び「管理サーバ用第２の各種情報管理部１２０」の構成を示す概略ブロック図である。これらの内容については、後述する。
【００２８】
（「画像情報管理システム１」の主な動作例）
本実施の形態では、上述のように、例えば、Ｐ寿司店を利用する顧客Ａ等に、Ｐ寿司店の宣伝用の店舗の画像を募集し、応募してＰ寿司店の所定の場所の画像を撮像し提供した画像の中から宣伝用に使用する画像を選択し、選択された画像を提供した顧客Ａ等にＰ寿司店の利用時の特典であるポイント等を提供する例で、以下説明する。
【００２９】
先ず、本システム１を利用する顧客Ａは自己の携帯端末５０を図１の画像及び順番待ち管理装置１００に登録する。
具体的には、図３の「会員情報記憶部１１１」に顧客Ａの会員番号、氏名、住所、携帯端末５０の携帯メールアドレス等を記憶する。
【００３０】
次いで、顧客Ａが、図１のＰ寿司店を利用する工程を説明する。
図５及び図７は、本システム１の主な動作例を示す概略フローチャートである。
【００３１】
図５のステップ（以下「ＳＴ」という。）１では、Ｐ寿司店を訪れた顧客Ａは、店内の席が満席であったため、自己の「携帯端末５０」を図１の「順番待ち装置１０」に近づけ、同装置１０との間で、近距離無線通信を行い、順番待ち登録を行う。
【００３２】
その際、携帯端末５０から「会員番号」等の情報が送信され、順番待ち装置１０からは「受付番号」等の情報が送信される。
【００３３】
また、このとき、Ｐ寿司店は、店舗の宣伝用でウエブサイトに掲載する店舗の写真（画像）を顧客から募集しているため、携帯端末５０のタッチパネル５１に「Ｐ寿司店が店舗の画像を募集中である」旨が表示され、この表示中には「画像募集のＵＲＬ」も表示される。
すなわち、募集情報は、順番待ち装置１０から携帯端末５０に配置される構成となっている。
【００３４】
次いで、ＳＴ２へ進む。ＳＴ２で、顧客Ａが「画像募集のＵＲＬ」をクリックして選択するとＳＴ３へ進む。
ＳＴ３では、携帯端末５０のタッチパネル５１に、「画像の募集要項」が表示される。この「画像の募集要項」には、例えば、募集している「画像の種類」等が含まれている。
例えば、「入口付近」、「全景」等である。
この「画像募集要項」は，図３の「画像募集要項情報記憶部１１２」に記憶されており、この情報が携帯端末５０に表示される。
この「画像の種類」が「画像情報の対象となる場所情報」の一例である。
【００３５】
また、このとき、他の応募者（例えば、顧客Ｂ等）が、既に応募した画像を閲覧するための「閲覧用ＵＲＬ」も表示される。
次いで、ＳＴ４で、「閲覧用ＵＲＬ」がクリックされ、実行されると、ＳＴ５へ進む。
ＳＴ５では、図３の「画像情報記憶部１１３」に記憶されている他の応募者（顧客Ｂ等）の画像を表示し、併せて「いいねマーク（ハートマーク等）」が選択可能に表示される。
【００３６】
この他の応募者の画像を視認した顧客Ａが、画像が良いと感じたとき、この「いいねマーク」を選択することができる。
【００３７】
ＳＴ６で「いいねマーク」をクリックし、選択すると、ＳＴ７へ進む。ＳＴ７では、
「いいねマーク」がポイント換算され、図３の「画像情報記憶部１１３」の当該画像情報と関連付けられて「いいねマーク選択数」に加算され登録される。
この「いいねマーク選択数」が第３者の評価情報の一例となっている。
【００３８】
すなわち、応募された画像は、第３者に閲覧されることで、顧客による、より客観的な評価を得ることができる構成となっている。
【００３９】
一方、ＳＴ４で「閲覧用ＵＲＬ」を選択しなかった場合や、ＳＴ６で「いいねマーク」を選択しなかった場合は、ＳＴ８へ進む。
ＳＴ８では、顧客Ａが，自ら「画像」を提供するか否かが問われる。
ＳＴ８で、提供する場合は、ＳＴ９へ進む。ＳＴ９では、顧客Ａが、既に撮像し、携帯端末５０に記憶している「画像」を、図１の「画像及び順番待ち情報管理装置１００」へ送信する。
【００４０】
すると、「画像及び順番待ち情報管理装置１００」は、受信した応募画像情報である例えば、「画像」を図３の「画像情報記憶部１１３」に記憶させる。
このとき、「画像」は、顧客Ａの会員番号等や画像の種類と関連付けて記憶させる。
ここで、画像の種類としては、「店舗近景」「エントランス」「座席」「看板メニュー」等が挙げられる。
これにより、この顧客Ａの応募画像も事後、他の顧客等の評価対象となり、「いいねマーク」の評価を受ける対象となる。
【００４１】
以上で、顧客Ａ等が画像を登録し、他の顧客の評価を受ける工程が終了する。
次いで、Ｐ寿司店の宣伝用の店舗の画像を応募画像から選択するときの参考資料を生成する工程を以下、説明する。
【００４２】
図７は、画像を応募画像から選択するときの参考資料を生成する工程を示す概略フローチャートである。
先ず、応募画像から店舗画像を選択するうえで、担当者が参考資料を取得したい応募者である顧客（例えば、顧客Ａ）を特定し、図１の「画像及び順番待ち情報管理装置１００」に入力する。
【００４３】
すると、図１１のＳＴ１１へ進む。ＳＴ１１では、入力された参考資料の対象顧客（例えば、顧客Ａ）を「参考資料対象者情報」として図３の「参考資料対象者情報記憶部１１４」に記憶する。
【００４４】
次いで、ＳＴ１２へ進む。ＳＴ１２では、図４の「参考資料情報生成処理部（プログラム）１２１」が動作し、図３の「画像情報記憶部１１２」を参照する。
そして、対象者の顧客（例えば、顧客Ａ）の過去の「画像」の「評価」情報（例えば、過去、選ばれた画像、選ばれないが「優良」とされた画像等）、「いいねマーク選択数情報」、今回の「写真（画像）」についての「いいねマーク選択情報」を抽出する。
【００４５】
そして、図４の「対応数値基準情報記憶部１２２」の「対応数値基準情報」を参照し、この「対応数値基準情報」に基づき、抽出した「評価」及び「いいねマーク選択数」を数値に変換し、「数値変換情報」とし、この「数値変換情報」を「参考資料情報」として、図４の「参考資料情報記憶部１２３」に記憶する。
【００４６】
この参考資料情報（数値変換情報）が、参考情報の一例となっている。
【００４７】
次いで、ＳＴ１３へ進む。ＳＴ１３では、図４の「参考資料情報記憶部１２３」の参考資料情報を「画像及び順番待ち情報管理装置１００」の「管理装置側ディスプレイ１０３」に表示すると共に、「参考資料情報」に基づき、各画像を最も高い評価の画像に入れ替えて表示する。
次いで、ＳＴ１４に進む。ＳＴ１４で、「画像に不適切、種類の誤り、店舗違い等の問題があるときは、ＳＴ１５へ進む。
ＳＴ１５では、表示されている画像を取り下げて、元の画像に戻す、又は他の画像と差し替える。
【００４８】
このように、本実施の形態では、Ｐ寿司店の宣伝用画像を選択する担当者に必要な情報を提供することができる。
具体的には、応募があった顧客の過去における応募とその評価結果、または、第３者の評価結果（いいねマーク）等の情報が数値情報に変換して、提供されるので、同担当者にとって有用な参考情報となる。
【００４９】
次いで、担当者により、Ｐ寿司店の宣伝用画像が選定されると、選定された「画像」を提供した顧客に、所定数の「ポイント」が付与される。
したがって、ポイントを受け取った顧客は、Ｐ寿司店等で、ポイントを利用することができることになる。
一方、Ｐ寿司店も、本実施の形態の本システム１を用いることで、外部に宣伝用画像を依頼するコストをかけることなく、かつ、実際の顧客の反応や訴求力を確認しながら宣伝用画像を選定することができる。
【００５０】
以上説明した本実施形態においては、装置として実現される場合を例に挙げて説明したが、本発明は、これに限定されず、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納され頒布されてもよい。
【００５１】
また、記憶媒体は、プログラムを記憶でき、かつコンピュータが読み取り可能な記憶媒体であればよい。記憶媒体の記憶形式は、特には限定されない。
【００５２】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【００５３】
さらに、本発明における記憶媒体は、コンピュータと独立した媒体には限定されず、ＬＡＮやインターネット等により伝送されたプログラムをダウンロードして記憶または一時記憶した記憶媒体も含まれる。
【００５４】
また、本発明におけるコンピュータは、記憶媒体に記憶されたプログラムに基づいて本実施形態における各処理を実行すればよく、１つのパソコン等からなる装置であってもよいし、複数の装置がネットワーク接続されたシステム等であってもよい。
【００５５】
また、本発明におけるコンピュータとは、パソコンには限定されず、情報処理機器に含まれる演算処理装置、マイコン等も含み、プログラムによって本発明の機能を実現することが可能な機器、装置を総称している。
【００５６】
以上、本発明の実施形態について説明した。しかし、本発明は、上記実施形態に限定されず、特許請求の範囲を逸脱しない範囲で種々の変更を行うことができる。
【符号の説明】
【００５７】
１・・・画像情報管理システム、２・・・インターネット網、３・・・基地局、１０・・・順番待ち装置、５０・・・携帯端末、５１・・・タッチパネル、５２・・・入力ボタン、１００・・・画像及び順番待ち情報管理装置、１０１・・・管理装置側制御部、１０２・・・管理装置側通信装置、１０３・・・管理装置側ディスプレイ、１０４・・・管理装置側入力装置、１１０・・・管理装置側第１の各種情報管理部、１１１・・・会員情報記憶部、１１２・・・画像募集要項情報記憶部、１１３・・・画像情報記憶部、１１４・・・参考資料対象者情報記憶部、１２０・・・管理装置側第２の各種情報管理部、１２１・・・参考資料情報生成処理部（プログラム）、１２２・・・対応数値基準情報記憶部、１２３・・・参考資料情報記憶部
【図１】
2019121131.tif 000003
【図２】
2019121131.tif 000004
【図３】
2019121131.tif 000005
【図４】
2019121131.tif 000006
【図５】
2019121131.tif 000007
【図６】
2019121131.tif 000008
【図７】
2019121131.tif 000009
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
特定の商品及び／又は役務の提供を行う提供場所に配置される順番待ちのための順番待ち装置と、
前記提供場所の顧客が所持する端末と、
前記順番待ち装置と前記端末と通信可能で、前記提供場所の画像情報を管理する画像情報管理装置と、を有し、
前記端末と前記順番待ち装置との間で通信し、前記端末の順番待ち登録を行うと、前記端末の表示部に画像募集画面が表示され、
前記画像募集画面が選択されると、前記表示部に画像の募集情報と他の応募者の画像の閲覧用画面が表示され、
前記他の応募者の画像の閲覧用画面が選択されると、前記他の応募者の画像が表示されると共に、当該他の応募者の画像についての第３者の評価情報が選択可能に表示され、
また、前記端末から前記顧客の画像を前記画像情報管理装置に送信し、前記画像情報管理装置の画像情報記憶部に記憶され、
前記顧客と異なる他の顧客の前記第３者の評価情報の選択対象画像となることを特徴とする画像情報管理システム。
【請求項２】
応募者である顧客のうち対象者を特定し、前記対象者の過去の評価情報、前記第３者の評価情報を前記画像情報管理装置の画像情報記憶部から抽出し、
前記画像情報管理装置の対応数値基準情報に基づき、抽出した前記対象者の過去の評価情報及び前記第３者の評価情報を数値変換情報とし、
前記数値変換情報を前記画像情報管理装置の表示部に表示すると共に、前記数値変換情報に基づき、最も評価の高い前記対象者が提供した前記画像を選択し、前記画像情報管理装置の表示部に表示することを特徴とする請求項１に記載の画像情報管理システム。
【請求項３】
画像情報の対象となる場所情報が、前記募集情報に含まれていることを特徴とする請求項１又は請求項２に記載の画像情報管理システム。
【請求項４】
特定の商品及び／又は役務の提供を行う提供場所に配置される順番待ちのための順番待ち装置と、
前記提供場所の顧客が所持する端末と、
前記順番待ち装置と前記端末と通信可能で、前記提供場所の画像情報を管理する画像情報管理装置と、を有する画像情報管理システムの制御方法であって、
前記端末と前記順番待ち装置との間で通信し、前記端末の順番待ち登録を行うと、前記端末の表示部に画像募集画面が表示され、
前記画像募集画面が選択されると、前記表示部に画像の募集情報と他の応募者の画像の閲覧用画面が表示され、
前記他の応募者の画像の閲覧用画面が選択されると、前記他の応募者の画像が表示されると共に、当該他の応募者の画像についての第３者の評価情報が選択可能に表示され、
また、前記端末から前記顧客の画像を前記画像情報管理装置に送信し、前記画像情報管理装置の画像情報記憶部に記憶され、
前記顧客と異なる他の顧客の前記第３者の評価情報の選択対象画像となることを特徴とする画像情報管理システムの制御方法。
【請求項５】
特定の商品及び／又は役務の提供を行う提供場所に配置される順番待ちのための順番待ち装置と、
前記提供場所の顧客が所持する端末と、
前記順番待ち装置と前記端末と通信可能で、前記提供場所の画像情報を管理する画像情報管理装置と、を有する画像情報管理プログラムであって、
前記端末と前記順番待ち装置との間で通信し、前記端末の順番待ち登録を行うと、前記端末の表示部に画像募集画面が表示される機能、
前記画像募集画面が選択されると、前記表示部に画像の募集情報と他の応募者の画像の閲覧用画面が表示される機能、
前記他の応募者の画像の閲覧用ＵＲＬが選択されると、前記他の応募者の画像が表示されると共に、当該他の応募者の画像についての第３者の評価情報が選択可能に表示される機能、
また、前記端末から前記顧客の画像を前記画像情報管理装置に送信し、前記画像情報管理装置の画像情報記憶部に記憶され、前記顧客と異なる他の顧客の前記第３者の評価情報の選択対象画像とする機能を実行させる画像情報管理プログラム。
【手続補正２】
【補正対象書類名】明細書
【補正対象項目名】０００６
【補正方法】変更
【補正の内容】
【０００６】
上記目的は、本発明によれば、特定の商品及び／又は役務の提供を行う提供場所に配置される順番待ちのための順番待ち装置と、前記提供場所の顧客が所持する端末と、前記順番待ち装置と前記端末と通信可能で、前記提供場所の画像情報を管理する画像情報管理装置と、を有し、前記端末と前記順番待ち装置との間で通信し、前記端末の順番待ち登録を行うと、前記端末の表示部に画像募集画面が表示され、前記画像募集画面が選択されると、前記表示部に画像の募集情報と他の応募者の画像の閲覧用画面が表示され、前記他の応募者の画像の閲覧用画面が選択されると、前記他の応募者の画像が表示されると共に、当該他の応募者の画像についての第３者の評価情報が選択可能に表示され、また、前記端末から前記顧客の画像を前記画像情報管理装置に送信し、前記画像情報管理装置の画像情報記憶部に記憶され、前記顧客と異なる他の顧客の前記第３者の評価情報の選択対象画像となることを特徴とする画像情報管理システムにより達成される。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
好ましくは、前記画像情報管理システムが、応募者である顧客のうち対象者を特定し、前記対象者の過去の評価情報、前記第３者の評価情報を前記画像情報管理装置の画像情報記憶部から抽出し、前記画像情報管理装置の対応数値基準情報に基づき、抽出した前記対象者の過去の評価情報及び前記第３者の評価情報を数値変換情報とし、前記数値変換情報を前記画像情報管理装置の表示部に表示すると共に、前記数値変換情報に基づき、最も評価の高い前記対象者が提供した前記画像を選択し、前記画像情報管理装置の表示部に表示することを特徴とする。
好ましくは、画像情報の対象となる場所情報が、前記募集情報に含まれていることを特徴とする。
【手続補正６】
【補正対象書類名】明細書
【補正対象項目名】００１３
【補正方法】変更
【補正の内容】
【００１３】
前記目的は、本発明によれば、特定の商品及び／又は役務の提供を行う提供場所に配置される順番待ちのための順番待ち装置と、前記提供場所の顧客が所持する端末と、前記順番待ち装置と前記端末と通信可能で、前記提供場所の画像情報を管理する画像情報管理装置と、を有する画像情報管理システムの制御方法であって、前記端末と前記順番待ち装置との間で通信し、前記端末の順番待ち登録を行うと、前記端末の表示部に画像募集画面が表示され、前記画像募集画面が選択されると、前記表示部に画像の募集情報と他の応募者の画像の閲覧用画面が表示され、前記他の応募者の画像の閲覧用画面が選択されると、前記他の応募者の画像が表示されると共に、当該他の応募者の画像についての第３者の評価情報が選択可能に表示され、また、前記端末から前記顧客の画像を前記画像情報管理装置に送信し、前記画像情報管理装置の画像情報記憶部に記憶され、前記顧客と異なる他の顧客の前記第３者の評価情報の選択対象画像となることを特徴とする画像情報管理システムの制御方法により達成される。
【手続補正７】
【補正対象書類名】明細書
【補正対象項目名】００１４
【補正方法】変更
【補正の内容】
【００１４】
前記目的は、本発明によれば、特定の商品及び／又は役務の提供を行う提供場所に配置される順番待ちのための順番待ち装置と、前記提供場所の顧客が所持する端末と、前記順番待ち装置と前記端末と通信可能で、前記提供場所の画像情報を管理する画像情報管理装置と、を有する画像情報管理プログラムであって、前記端末と前記順番待ち装置との間で通信し、前記端末の順番待ち登録を行うと、前記端末の表示部に画像募集画面が表示される機能、前記画像募集画面が選択されると、前記表示部に画像の募集情報と他の応募者の画像の閲覧用画面が表示される機能、前記他の応募者の画像の閲覧用画面が選択されると、前記他の応募者の画像が表示されると共に、当該他の応募者の画像についての第３者の評価情報が選択可能に表示される機能、また、前記端末から前記顧客の画像を前記画像情報管理装置に送信し、前記画像情報管理装置の画像情報記憶部に記憶され、前記顧客と異なる他の顧客の前記第３者の評価情報の選択対象画像とする機能を実行させる画像情報管理プログラムにより達成される。
【手続補正書】
【提出日】平成30年8月6日(2018.8.6)
【手続補正１】
【補正対象書類名】特許請求の範囲
【補正対象項目名】請求項５
【補正方法】変更
【補正の内容】
【請求項５】
特定の商品及び／又は役務の提供を行う提供場所に配置される順番待ちのための順番待ち装置と、
前記提供場所の顧客が所持する端末と、
前記順番待ち装置と前記端末と通信可能で、前記提供場所の画像情報を管理する画像情報管理装置と、を有する画像情報管理システムを制御するための画像情報管理プログラムであって、
前記端末と前記順番待ち装置との間で通信し、前記端末の順番待ち登録を行うと、前記端末の表示部に画像募集画面が表示される機能、
前記画像募集画面が選択されると、前記表示部に画像の募集情報と他の応募者の画像の閲覧用画面が表示される機能、
前記他の応募者の画像の閲覧用ＵＲＬが選択されると、前記他の応募者の画像が表示されると共に、当該他の応募者の画像についての第３者の評価情報が選択可能に表示される機能、
また、前記端末から前記顧客の画像を前記画像情報管理装置に送信し、前記画像情報管理装置の画像情報記憶部に記憶され、前記顧客と異なる他の顧客の前記第３者の評価情報の選択対象画像とする機能を、画像情報管理システムに実行させる画像情報管理プログラム。
【手続補正２】
【補正対象書類名】明細書
【補正対象項目名】００１４
【補正方法】変更
【補正の内容】
【００１４】
前記目的は、本発明によれば、特定の商品及び／又は役務の提供を行う提供場所に配置される順番待ちのための順番待ち装置と、前記提供場所の顧客が所持する端末と、前記順番待ち装置と前記端末と通信可能で、前記提供場所の画像情報を管理する画像情報管理装置と、を有する画像情報管理システムを制御するための画像情報管理プログラムであって、前記端末と前記順番待ち装置との間で通信し、前記端末の順番待ち登録を行うと、前記端末の表示部に画像募集画面が表示される機能、前記画像募集画面が選択されると、前記表示部に画像の募集情報と他の応募者の画像の閲覧用画面が表示される機能、前記他の応募者の画像の閲覧用ＵＲＬが選択されると、前記他の応募者の画像が表示されると共に、当該他の応募者の画像についての第３者の評価情報が選択可能に表示される機能、また、前記端末から前記顧客の画像を前記画像情報管理装置に送信し、前記画像情報管理装置の画像情報記憶部に記憶され、前記顧客と異なる他の顧客の前記第３者の評価情報の選択対象画像とする機能を、画像情報管理システムに実行させる画像情報管理プログラムにより達成される。